(57)【特許請求の範囲】
【請求項１】
構造物の壁面に取り付ける壁面取付面と、該壁面取付面を垂直に立ち上げた周縁壁と、該周縁壁に囲まれた開口側に車両用充電装置を取り付ける車両用充電装置取付部を有する車両用充電装置の壁面取付台であって、
該壁面取付面には、構造物の壁面と固定される壁面固定部を備え、
該周縁壁は、その底面に外部からの電線を入線する電線管接続部を備えた入線部を備え、
該入線部から入線した電線を車両用充電装置に配線する配線部を、壁面取付面と周縁壁の内側に位置する内部周縁壁と、周壁部の底面とに囲まれた空間内に設けたこと
を特徴とする車両用充電装置の壁面取付台。
【請求項２】
該車両用充電装置の取付面と、周縁壁に囲まれた開口形状とを略同一形状としたことを特徴とする請求項１記載の車両用充電装置の壁面取付台。
【請求項３】
該車両用充電装置が、筐体の外周側面を充電ケーブル巻き掛け部とし、
該壁面取付台に車両用充電装置を取り付けた状態において、
該周縁壁が、該充電ケーブル巻き掛け部よりも、外側に位置することを特徴とする請求項１または２記載の車両用充電装置の壁面取付台。
【請求項４】
入線部が、周縁壁を切欠いて形成され、下部から電線を入線する下部切欠き構造を備え、
該下部切欠き構造は、鉛直方向に立接した支柱部材に装着自在な構造とすることを特徴とする請求項１〜３の何れかに記載の車両用充電装置の壁面取付台。
【発明の詳細な説明】
【技術分野】
【０００１】
本発明は、車両用充電装置の壁面取付台に関するものである。
【背景技術】
【０００２】
一般家庭において、電気自動車やプラグインハイブリイドカー等の車両への充電に使用する車両用充電装置としては、コンパクトな壁面設置型（例えば、特許文献１）の普及が見込まれる。
【０００３】
家屋等の構造物の新築時に合わせて壁面設置型の車両用充電装置を設置する場合には、壁面上で車両用充電装置の設置を予定する箇所に電線の配線孔を設け、電線を該配線孔から車両用充電装置へと引き込んで電源供給を行うことができる。
【０００４】
一方、既設の構造物の場合、壁面上で車両用充電装置の設置を予定する箇所に配線孔を設けた上で、壁面内で電線を引き回して該配線孔から引出した後、電線を該配線孔から車両用充電装置へと引き込んで電源供給を行うことができる。
【０００５】
しかし、壁面内で電線を引き回すことができない場合や、あるいは、壁面に電線の配線孔を設けられない場合には、従来の壁面設置型の車両用充電装置を設置することができず、壁面設置型よりも大型で、設置する場所の確保も必要な自立式充電装置の設置を余儀なくされるという問題があった。
【先行技術文献】
【特許文献】
【０００６】
【特許文献１】特開２０１１−５０１２５号公報
【発明の概要】
【発明が解決しようとする課題】
【０００７】
本発明の目的は前記の問題を解決し、壁面上で車両用充電装置の設置を予定する箇所に配線孔を設けられない場合や、壁面内で電線を引き回すことができない場合であっても、壁面上の任意の箇所に車両用充電装置を取り付けることを可能とする車両用充電装置の壁面取付台を提供することである。
【課題を解決するための手段】
【０００８】
上記課題を解決するためになされた本発明の車両用充電装置の壁面取付台は、構造物の壁面に取り付ける壁面取付面と、該壁面取付面を垂直に立ち上げた周縁壁と、該周縁壁に囲まれた開口側に車両用充電装置を取り付ける車両用充電装置取付部を有する車両用充電装置の壁面取付台であって、該壁面取付面には、構造物の壁面と固定される壁面固定部を備え、該周縁壁は、その底面に外部からの電線を入線する電線管接続部を備えた入線部を備え、該入線部から入線した電線を車両用充電装置に配線する配線部を、壁面取付面と周縁壁の内側に位置する内部周縁壁と、周壁部の底面とに囲まれた空間内に設けたことを特徴とするものである。
【０００９】
請求項２記載の発明は、請求項１記載の車両用充電装置の壁面取付台において、該車両用充電装置の取付面と、周縁壁に囲まれた開口形状とを略同一形状としたことを特徴とするものである。
【００１０】
請求項３記載の発明は、請求項１または２記載の車両用充電装置の壁面取付台において、該車両用充電装置が、筐体の外周側面を充電ケーブル巻き掛け部とし、該壁面取付台に車両用充電装置を取り付けた状態において、該周縁壁が、該充電ケーブル巻き掛け部よりも、外側に位置することを特徴とするものである。
【００１１】
請求項４記載の発明は、請求項１〜３の何れかに記載の車両用充電装置の壁面取付台において、入線部が、周縁壁を切欠いて形成され、下部から電線を入線する下部切欠き構造を備え、該下部切欠き構造は、鉛直方向に立接した支柱部材に装着自在な構造とすることを特徴とするものである。
【発明の効果】
【００１２】
本発明に係る車両用充電装置の壁面取付台の該周縁壁の底面には、外部からの電線を入線する電線管接続部を備えた入線部を備え、該入線部から入線した電線を車両用充電装置に配線する配線部を、壁面取付面と周縁壁の内側に位置する内部周縁壁と、周壁部の底面とに囲まれた空間内に設けた構成を備えているため、壁面上で車両用充電装置の設置を予定する箇所に配線孔を設けられない場合や、壁面内で電線を引き回すことができない場合であっても、既設の配線孔から配線した電線を該壁面取付台に入線して、該壁面取付台を壁面上の任意の箇所に取り付けた上で、車両用充電装置を取り付けることにより、壁面上の任意の箇所への設置を実現することができる。
【図面の簡単な説明】
【００１３】
【図１】壁面取付台に車両用充電装置を取り付けた状態の正面斜視図である。
【図２】図１の車両用充電装置を取り外した状態における正面斜視図である。
【図３】図２の背面斜視図である。
【図４】図２の壁面取付台の正面図である。
【図５】他の実施形態の壁面取付台に車両用充電装置を取り付けた状態の正面斜視図である。
【図６】図５の車両用充電装置を取り外した状態における正面斜視図である。
【図７】図５の壁面取付台の正面図である。
【発明を実施するための形態】
【００１４】
以下に本発明の好ましい実施形態を示す。
【００１５】
本発明の車両用充電装置の壁面取付台１は、本来、壁面上で車両用充電装置２の設置を予定する箇所に電線挿通用の配線孔を設け、電線を該配線孔から車両用充電装置へと引き込んで電源供給を行うことを予定して設計されている壁面取付け型の車両用充電装置２を、壁面上の配線孔を新たに設けることなく設置するために使用する取り付け台であって、家屋等の構造物の壁面に取り付ける壁面取付面３と、該壁面取付面３を垂直に立ち上げた周縁壁４と、該周縁壁に囲まれた開口側に車両用充電装置２の取付面である背面１３を取り付ける車両用充電装置取付部５を有している。
【００１６】
該壁面取付台１に車両用充電装置２を取り付けた状態において、該車両用充電装置２の背面１３と、壁面取付台１の周縁壁４に囲まれた開口部分とが、隙間なく重なりあうように、該車両用充電装置２の背面１３と、壁面取付台１の周縁壁４に囲まれた開口形状とを、略同一形状としていて、車両用充電装置２と一体感がある外観を形成している。
【００１７】
図１に示すように車両用充電装置２が筐体の外周側面に充電ケーブル１４を巻き取って保持する充電ケーブル巻き掛け部を有する場合、該壁面取付台１に車両用充電装置２を取り付けた状態において、壁面取付台１の周縁壁４が、該充電ケーブル巻き掛け部よりも、外側に位置する構造とすることが好ましい。当該構造によれば、充電ケーブルを巻いて保持した時の段差を少なくし、車両用充電装置２とより一体的な外観を形成することができる。また、使用者が充電ケーブルを巻く位置を明確にすることもできる。
【００１８】
壁面取付台１は、樹脂部材で形成され、壁面取付面３には、構造物の壁面と固定される壁面固定部としてねじ孔６が設けられている。
【００１９】
周縁壁４の下部には、外部からの電線を入線する入線部７が切欠き形成した下部切欠き構造１８を備えている。入線部７は周縁壁４の底面に形成されたものである。入線部７には２本の電線管８が接続されて電線管接続部を構成しており、各電線管８には、分電盤に接続する電線と、屋内に設置された通信装置に接続する通信線が配線されている。電線管８は地中から引き出されるか、構造物の壁面下方を這わせるように敷設され、入線部７に接続されているので、壁面上で車両用充電装置の設置を予定する箇所に配線孔を設けられない場合や、壁面内で電線を引き回すことができない場合であっても、既設の配線孔から配線した電線を該壁面取付台に入線して、該壁面取付台を壁面上の任意の箇所に取り付けた上で、車両用充電装置を取り付けることにより、壁面上の任意の箇所への設置を実現することができる。
【００２０】
壁面取付面３と周縁壁４の内側に位置する内部周縁壁１６と、周壁部の底面とに囲まれた空間内には、入線部７から入線した電線を車両用充電装置に配線する配線部９を形成している。配線部９は周縁壁４で囲まれた空間から独立した空間部とし、配線部９の周囲に防水パッキン１７を設けている。この構造により、防水パッキン１７を周縁壁４に囲まれた開口部分に対応して広範囲に添付する必要がなく防水性能が向上する。車両用充電装置２側には、壁面取付台３に車両用充電装置２を取り付けた状態において、該配線部９と対峙する位置に電線挿通孔１０を形成している。
【００２１】
壁面取付面３と周縁壁４に囲まれた空間内には、その他、リブ１１を形成して壁面取付台１を補強している。
【００２２】
上記実施形態では、構造物の壁面で支持されるタイプの壁面取付台１を説明したが、他の実施形態として、図５〜７に示すように、上記構造の壁面取付台１の下部に、地面等から鉛直方向に立設した支柱部材１２を設けて、該支柱部材１２により簡易的な自立車両用充電装置を構成することも可能である。すなわち、入線部７の下部切欠き構造１８は、鉛直方向に立設支柱部材１２に装着自在な構造を有している。この構造により、わずかなスペースにも車両用充電装置２を設置することができる。
【００２３】
また支柱内部には電線管を設けて、分電盤に接続する電線と通信装置に接続する通信線とを挿通すれば、電線管が外部に露出せず意匠性が向上する。また、支柱部材１２には、屋外コンセント１５等を設置することもできる。
【符号の説明】
【００２４】
１  壁面取付台
２  車両用充電装置
３  壁面取付面
４  周縁壁
５  車両用充電装置取付部
６  ねじ孔（壁面固定部）
７  入線部
８  電線管
９  配線部
１０  電線挿通孔
１１  リブ
１２  支柱部材
１３  背面
１４  充電ケーブル
１５  屋外コンセント
１６  内部周縁壁
１７  パッキン
１８  下部切欠き構造
【図１】
0005830762.tif 000002
【図２】
0005830762.tif 000003
【図３】
0005830762.tif 000004
【図４】
0005830762.tif 000005
【図５】
0005830762.tif 000006
【図６】
0005830762.tif 000007
【図７】
0005830762.tif 000008